(57)【要約】      （修正有）【課題】複数の照明器具の携行や持ち替えを必要とせず、交通誘導に用いていた発光式誘導棒の手元のスイッチ操作のみで紫外線照射が行え、疑わしい免許証、証明書、紙幣等の確認が即座かつ容易に行える照明灯付発光式誘導棒を提供する。【解決手段】発光部１と、電源供給部５と、白色ランプと紫外線ランプとを備える照明部Ｌと、照明用スイッチＳＷ１を有する照明灯制御部６とから成る携帯可能な発光式誘導棒であって、照明用スイッチＳＷ１により白色ランプと紫外線ランプのいずれかを選択して点灯可能とすることを特徴とする。【選択図】図４
0003182509.tif 000002
【実用新案登録請求の範囲】
【請求項１】
発光部と、電源部と、白色ランプと紫外線ランプとを備える照明部と、照明用スイッチを有する照明灯制御部とから成る携帯可能な発光式誘導棒であって、照明用スイッチにより白色ランプと紫外線ランプのいずれかを選択して点灯可能とすることを特徴とする照明灯付発光式誘導棒。
【請求項２】
発光部は自発光可能な発光体を備えるとともに、発光部用スイッチを備える発光パターン制御部をさらに有し、発光部用スイッチにより発光体の発光パターンを切り替え可能とすることを特徴とする、請求項１に記載の照明灯付発光式誘導棒。
【考案の詳細な説明】
【技術分野】
【０００１】
本考案は、警察官が交通検問や交通事故現場の保安のために行う交通誘導、または民間の警備員等が、道路工事現場の保安のために行う交通誘導の際に、誘導対象となる車両等の運転者や歩行者等（被誘導者）に、停止、進行許可、進行方向の指示等の指示を与えて誘導するために用いられる照明灯付発光式誘導棒に関する。
【背景技術】
【０００２】
一般的な発光式誘導棒は、外側面を反射材で覆った円筒にグリップ部を備え、円筒部にＬＥＤ等の発光体を内蔵する構造を有し、直径３２mm×全長５０乃至９０cmの棒状で反射材の色、発光体の色共に赤色のものが一般的である。日中は、円筒部の反射材による外光の反射により、夜間は円筒内部の発光体の自発光により視認性を高めることで、被誘導者の注意を惹き、交通誘導指示を的確に伝えることができる。
【０００３】
ただし、これらの発光は被視認性を高めるためのものであって、誘導者が周囲を視認したり特定の対象物を照射するためのものではない。そのため、警察官による夜間の検問時に書類や被誘導者の免許証等を確認するためには別途懐中電灯を用いるほか、発光式誘導棒自体に照明用の白色ランプを備えたものが用いられている。
【特許文献１】実用新案登録第３１２３５３５号公報
【特許文献２】実用新案登録第３０５６３４２号公報
【特許文献３】実用新案登録第３０５５３７０号公報
【０００４】
ところで、警察官が行う検問においては、犯罪捜査等の目的で、外国人の身分確認や紙幣の真贋の確認などが必要となる場合がある。その際の簡易な確認方法として、パスポート、外国人登録証、紙幣等に印刷された紫外線照射により視認できる特殊なマーク等に紫外線ランプの光を照射して確認する方法が用いられている。
【考案の開示】
【考案が解決しようとする課題】
【０００５】
しかし、実際の夜間での検問において、上記のような方法で確認を行うためには、警察官は交通誘導用の発光式誘導棒のほかに別途の紫外線照射器を携行する必要があって不便なだけでなく、検問中に発光式誘導棒から紫外線照射器に持ち替える際に現場の安全確保に隙を生じたり、被疑者が思わぬ抵抗に及んだ際の対応が困難になったりするおそれがあった。
【０００６】
本考案は、かかる問題を解決することを目的として創作されたものであり、複数の照明器具の携行や持ち替えを必要とせず、交通誘導に用いていた発光式誘導棒の手元のスイッチ操作のみで紫外線照射が行え、疑わしい免許証、証明書、紙幣等の確認が即座かつ容易に行える照明灯付発光式誘導棒を提供するものである。
【０００７】
かかる目的を達成するため、請求項１に記載した照明灯付発光式誘導棒は、発光部と、電源部と、白色ランプと紫外線ランプとを備える照明部と、照明用スイッチを有する照明灯制御部とから成る携帯可能な照明灯付発光式誘導棒であって、照明用スイッチにより白色ランプと紫外線ランプのいずれかを選択して点灯可能とすることを特徴とする。
【０００８】
ここで、発光部は、円筒部の外部を反射材で覆ったのみのものであっても良いし、さらに円筒内部に赤色ＬＥＤ等の自発光可能な発光体を内蔵したものであっても良い。一方、白色ランプ及び紫外線ランプとしては、低圧水銀ランプ等の球管ランプあるいは白色ＬＥＤやＵＶ−ＬＥＤ等のＬＥＤのいずれを用いても良い。また、白色ランプと紫外線ランプの発光式誘導棒上への配置は任意であるが、切り替え使用の利便性や誘導棒としての使用中の破損防止の観点から、両ランプを照明部に一体的にまとめて、照明用スイッチと共に発光式誘導棒のグリップ部の至近に配置することが適当である。
【０００９】
照明部は、照明灯制御部を介して電源部から給電され、照明用スイッチの操作により、照明灯制御部において消灯、白色ランプのみ点灯、紫外線ランプのみ点灯を任意に切り替え可能とする。なお、電源部の電源としては乾電池が適当である。
【００１０】
次に、請求項２に記載した考案は、請求項１に記載の照明灯付発光式誘導棒であって、発光部が自発光可能な発光体を備えるとともに、発光部用スイッチを備える発光パターン制御部をさらに有し、発光部用スイッチにより発光体の発光パターンを切り替え可能とすることを特徴とする。
【００１１】
自発光可能な発光体として赤色ＬＥＤを円筒部内に複数配置して発光部とすることが好適である。発光体は、発光パターン制御部を介して電源部から給電され、発光部用スイッチの操作により、発光パターン制御部において消灯、常時点灯、常時点滅を任意に切り替え可能とする。発光パターン制御部における発光制御にはマイコンを用いても良いが、簡易なリレー回路も適用可能である。
【００１２】
なお、発光パターン制御部は、発光部用スイッチの手動切り替えによる点灯制御のほかに、別途誘導棒の揺動状態を検知するセンサを設け、該センサによる揺動状態の検出信号に応じて、あらかじめマイコンに設定しておいた発光パターンにより点灯パターンを自動的に制御する構成としても良い。
【考案の効果】
【００１３】
本考案に係る照明灯付発光式誘導棒によれば、通常の夜間交通誘導等においては従来の発光式誘導棒として使用し、夜間検問等において書類や免許証、証明書、登録証、紙幣等を確認したり車内の検索を行う必要が生じた場合には、そのまま手元の照明用スイッチを操作して白色ランプあるいは紫外線ランプを切り替えて点灯して使用することができる。そのため、警察官等の誘導者は、別途に懐中電灯や紫外線照射器を携行する必要がなく、機器の持ち替えや操作の際に被誘導者から注意を逸らしてしまうおそれもなくなるため、検問作業の効率化や安全確保の向上が図られるという効果を奏するものである。
【考案を実施するための最良の形態】
【００１４】
以下、本考案の実施形態について図を用いて詳細に説明する。図１、図２は、本考案に係る照明付発光式誘導棒（以下、単に「誘導棒」と記す。）の一実施形態としての試作品の側面写真である。誘導棒は、大きく円筒状の発光部１、手元部２、グリップ部３とから成り、誘導者はグリップ部３を把持して誘導棒を保持したり揺動させることにより誘導業務を行う。発光部１は赤色の内部には発光体ＰＬ（図示せず）を内蔵しており、手元部２の外側面には照明部Ｌ及びスイッチ部ＳＷを設けており、照明部Ｌには白色ランプＷＬと紫外線ランプＵＬを内蔵し、スイッチ部ＳＷには、照明用スイッチＳＷ１と発光部用スイッチＳＷ２を並べて配置している。
【００１５】
図３は、誘導棒の手元部２の拡大写真である。照明部Ｌは透明樹脂製のユニットとしており、その内部に白色ランプＷＬと紫外線ランプＵＬを並べて配置している。なお、両ランプにはいずれも低圧水銀灯等の管球ランプを用いても良いが、誘導棒の使用環境を鑑みれば耐衝撃性と省電力性に優れたＬＥＤランプを用いることが好適である。
【００１６】
図４は、誘導棒の電気回路構成の一例を示す図である。制御回路４は電源供給部５、照明灯制御部６、発光パターン制御部７とから構成され、照明灯制御部６及び発光パターン制御部７は電源供給部５を介して電源（乾電池）Ｂから給電を受ける。
【００１７】
照明灯制御部６には白色ランプＷＬと紫外線ランプＵＬが接続されるとともに、消灯Ｌ１、ＵＶ点灯Ｌ２、白色点灯Ｌ３の接点を有し、照明用スイッチＳＷ１により接続を切り替えることにより、任意に消灯、紫外線ランプ点灯、白色ランプ点灯の操作を行える。
【００１８】
一方、発光パターン制御部７には発光体ＰＬが接続されるとともに、消灯Ｐ１、常時点灯Ｐ２、常時点滅Ｐ３の接点を有し、発光部用スイッチＳＷ２により接続を切り替えることにより、任意に消灯、発光体ＰＬの常時点灯、発光体の常時点滅の操作を行える。
【００１９】
なお、発光パターン制御部７による発光体ＰＬの発光制御は上記のパターンに限定されず、内蔵するリレー回路（図示せず）の設定により点滅サイクルを変更可能としたり、リレー回路の代わりにマイコンを用いて、別途誘導棒の揺動状態を検知するセンサを設け、該センサによる揺動状態の検出信号に応じて、あらかじめマイコンに設定しておいた発光パターンにより点灯パターンを自動的に制御する構成としても良い。また、上記電気回路の誘導棒への配置の位置は任意であるが、スイッチＳＷ１、ＳＷ２の配置を鑑みれば、誘導棒の手元部２内に、電源（乾電池）Ｂはグリップ部３に内蔵することが適当である。
【００２０】
このほか、発光体１に内蔵する発光体ＰＬとして、赤色ＬＥＤのほかに青色ＬＥＤを別系統の回路で配設し、発光パターン制御部７に別途発光色切り替えスイッチを設けることにより、発光体１の発光色を赤色と青色に切り替え可能とすることもできる。荒天時においては赤色よりも青色の方が視認性が高いため、使用時の天候に応じて発光色を任意に切り替え可能とすれば、安全確保上有利である。
【００２１】
図５は、本考案に係る誘導棒の紫外線ランプＵＬでパスポートを照射した状態を示す写真である。多くの国のパスポートには紫外線感度の高い蛍光物質を含むインクを用いた偽造防止処理が施されており、我が国のパスポートでは顔写真欄の横に同様の手法で同じ顔写真が印刷されている。通常光ではこの顔写真は視認できないが、図５に示す通り、紫外線の照射により顔写真が浮かび上がって見えるため、偽造の有無を確認することができる。
【００２２】
以上、本考案の実施形態について図面を参照しつつ説明したが、本考案は、必ずしも上述した構成にのみ限定されるものではなく、本考案の目的を達成し、効果を有する範囲内において、適宜変更実施することが可能なものであり、本考案の技術的思想の範囲内に属する限り、それらは本考案の技術的範囲に属する。
【産業上の利用可能性】
【００２３】
本考案に係る照明付発光式誘導棒は、特に警察官による夜間検問時に、交通誘導だけでなく免許証や証明書等の書類を確認し、偽造の有無を検査する際に有効である。
【図面の簡単な説明】
【００２４】
【図１】本考案に係る照明付発光式誘導棒の試作品の側面写真１
【図２】本考案に係る照明付発光式誘導棒の試作品の側面写真２
【図３】本考案に係る照明付発光式誘導棒の試作品の手元部の拡大写真
【図４】本考案に係る照明付発光式誘導棒の電気回路構成図
【図５】本考案に係る照明付発光式誘導棒を用いてパスポートの写真欄に紫外線を照射した状態を示す写真
【符号の説明】
【００２５】
１           発光部
２           手元部
３           グリップ部
４           制御回路
５           電源供給部  
６           照明灯制御部
７           発光パターン制御部
Ｂ           電源（乾電池）
Ｌ           照明部
ＳＷ       スイッチ部
ＳＷ１    照明用スイッチ
ＳＷ２    発光体用スイッチ
ＵＬ       紫外線ランプ
ＷＬ       白色ランプ
ＰＬ       発光体
Ｌ１、Ｌ２、Ｌ３              接点（照明灯制御部）
Ｐ１、Ｐ２、Ｐ３              接点（発光パターン制御部）
【図１】
0003182509.tif 000003
【図２】
0003182509.tif 000004
【図３】
0003182509.tif 000005
【図４】
0003182509.tif 000006
【図５】
0003182509.tif 000007